(57)【要約】【課題】塵埃による悪臭を長期に渡って効果的に脱臭する電気掃除機用集塵袋を提供する。【解決手段】塵埃吸引用の開口部２ａを有する口芯２と、開口部２ａより吸引された塵埃を捕集する袋状体４と、粒状又は粉状の脱臭剤３ａを収納すると共に排出口３ｄを有する収納ケース３と、薄板状で、収納ケース３に接着される接着部を有すると共に排出口３ｄを覆う覆い部材５とを備え、電気掃除機運転時の吸引風により、接着部が剥がれ、排出口３ｄが露出するようにしたもので、掃除の際は、脱臭剤３ａが袋状体４内に吸引され、吸引された塵埃と混合して堆積するので、塵埃と脱臭剤３ａの接触面積が広くなり、脱臭効果が大きくしかも長時間持続でき、使用前の電気掃除機用集塵袋１の運搬時には、覆い部材５により排出口３ｄから脱臭剤３ａが漏れ出ることが無く、また、最初の使用時に、接着部が吸引風により剥がれ、排出口３ｄが自動的に開口する。【選択図】図１
2008023215.tif 000002
【特許請求の範囲】
【請求項１】
塵埃吸引用の開口部を有すると共に電気掃除機内に装着される口芯と、前記開口部より吸引された塵埃を捕集する袋状体と、粒状又は粉状の脱臭剤を収納した収納ケースと、前記収納ケースに設けられ前記開口部に連通すると共に前記脱臭剤を排出する排出口と、薄板状で、前記収納ケースに接着される接着部を有すると共に前記排出口を覆う覆い部材とを備え、前記電気掃除機の運転開始の吸引風により、前記覆い部材の接着部が剥がれ、前記排出口が露出するようにした電気掃除機用集塵袋。
【請求項２】
覆い部材を複数に分岐し、その分岐された部分に接着部を設けた請求項１に記載の電気掃除機用集塵袋。
【請求項３】
分岐された部分を折り曲げた請求項２に記載の電気掃除機用集塵袋。
【請求項４】
分岐された部分の折り曲げ部にミシン目を設けた請求項３に記載の電気掃除機用集塵袋。
【請求項５】
分岐された部分の一部を収納ケースの裏面に接着又は固定するようにした請求項２〜４のいずれかに１項に記載の電気掃除機用集塵袋。
【請求項６】
分岐した部分で排出口を覆うと共に、その分岐した部分の端部を収納ケースの裏面に接着又は固定するようにした請求項２〜５のいずれか１項に記載の電気掃除機用集塵袋。
【請求項７】
収納ケースの裏面の、口芯の開口部の中で最も吸引力が作用する側と同じ側に、分岐した部分の端部を接着又は固定するようにした請求項６に記載の電気掃除機用集塵袋。
【請求項８】
電気掃除機用集塵袋を電動送風機を内蔵した電気掃除機に装着した時に、分岐した部分の収納ケースの裏面に接着された部分が、前記電動送風機の位置と同じ側になるようにした請求項５〜７のいずれか１項に記載の電気掃除機用集塵袋。
【請求項９】
請求項１〜８のいずれか１項に記載の電気掃除機用集塵袋が装着される集塵室と、前記集塵室内に空気を吸引するための電動送風機を備えた電気掃除機。
【発明の詳細な説明】
【技術分野】
【０００１】
本発明は、電気掃除機用集塵袋及び電気掃除機に関するもので、特に、電気掃除機用集塵袋内に堆積した塵埃の脱臭に関するものである。
【背景技術】
【０００２】
従来の、電気掃除機用集塵袋内に堆積した塵埃の脱臭方法として、紙パックや集塵フィルターに脱臭剤を含浸させて、その脱臭剤によって塵埃から発する臭いを脱臭するようにしたものがある（例えば、特許文献１参照）。又、電気掃除機の電気掃除機用集塵袋を収納する集塵室内空間に消臭芳香剤を設置したものも提案されている（例えば、特許文献２参照）。
【特許文献１】特開平５−７０８７１号公報
【特許文献２】特許第２８１００９０号公報
【発明の開示】
【発明が解決しようとする課題】
【０００３】
しかしながら、上記特許文献１に記載された従来の脱臭方法では、脱臭剤が紙パックや集塵フィルターの濾材のみに含浸されているだけなので、その濾材と塵埃との接触面積が少なく、かつ、接触時間も瞬間的であるため、十分な脱臭効果が得られない、という課題があった。そのため、上記従来の紙パックや集塵フィルターを装着した電気掃除機を運転した時に、塵埃の種類や蓄積期間によっては、電気掃除機からの排気風に混じって悪臭が発せられ、不快なものであった。
【０００４】
又、特許文献２に記載された電気掃除機の構成は、集塵室内空間に消臭芳香剤を設置することで、集塵室内に消臭成分を飛散させて、電気掃除機用集塵袋内の塵埃の消臭を行い、運転時の排気臭を緩和させるようにしたものであるが、消臭芳香剤は、塵埃の臭気に別に香りを混合させて、排気臭を緩和するため、根本的な臭気の除去には至らず、吸引した塵埃の種類によっては、不快な異臭として電気掃除機から排気されるという課題を有していた。
【０００５】
また、多量の塵埃を吸引して、それを長期に渡って保持できる従来の集塵袋式の電気掃除機では、吸引気流がほぼ全て塵埃中を通過するため、吸塵量の増加に従い、臭気発生量が増加し、特に、集塵袋の許容量に近い状態では、臭気発生が大幅に増加するため、消臭芳香剤の消臭効果では、ほとんど効果が得られないという課題を有していた。
【０００６】
本発明は、前記従来の課題を解決するもので、電気掃除機用集塵袋内の塵埃量や、貯留期間に関係なく、電気掃除機使用時の排気に含まれる塵埃由来の臭気を大幅に低減し、使用勝手の良い電気掃除機用集塵袋及び電気掃除機を提供することを目的とする。
【課題を解決するための手段】
【０００７】
前記従来の課題を解決するために、本発明の電気掃除機用集塵袋は、塵埃吸引用の開口部を有すると共に電気掃除機内に装着される口芯と、前記開口部より吸引された塵埃を捕集する袋状体と、粒状又は粉状の脱臭剤を収納した収納ケースと、前記収納ケースに設けられ前記開口部に連通すると共に前記脱臭剤を排出する排出口と、薄板状で、前記収納ケースに接着される接着部を有すると共に前記排出口を覆う覆い部材とを備え、前記電気掃除機の運転開始の吸引風により、前記覆い部材の接着部が剥がれ、前記排出口が露出するようにしたもので、塵埃吸引時には、吸引風により、収納ケース内の粒状又は粉状の脱臭剤が収納ケースより排出され、それが、吸引される塵埃と混合して袋状体内に堆積することにより、塵埃と脱臭剤の接触面積が極めて広く、しかも脱臭剤が電気掃除機用集塵袋が廃棄或いは袋状体が空にされるまで残っているので、脱臭効果が大きくしかも長時間持続できるので、常に快適に掃除を行うことができる。また、使用前の電気掃除機用集塵袋の運搬時には、排出口が覆い部材で覆われているので、収納ケースから脱臭剤が漏れ出ることが無く、電気掃除機用集塵袋の使用時に支障をきたすことが無い。さらに、電気掃除機用集塵袋の最初の使用時には、覆い部材の接着部が、電気掃除機による吸引風により剥がれ、容易に脱臭剤の排出口が露出、すなわち自動的に開口し、脱臭剤が袋状体内に確実に吸引されるので、脱臭剤が電気掃除機内に落下または利用者に付着することなく電気掃除機用集塵袋を利用することができる。また覆い部材を可燃性材料で形成するようにすれば、覆い部材を電気掃除機用集塵袋から取り出す必要がなく、使用後に電気掃除機用集塵袋ごと捨てることができる。
【０００８】
また、本発明の電気掃除機は、請求項１〜８のいずれか１項に記載の電気掃除機用集塵袋が装着される集塵室と、前記集塵室内に空気を吸引するための電動送風機を備えたもので、優れた脱臭性能を長期間にわたって発揮し、常に快適に使用することが出来る電気掃除機を提供することが出来る。
【発明の効果】
【０００９】
本発明の電気掃除機用集塵袋及び電気掃除機は、塵埃由来の悪臭が排気に含まれるのを大幅に低減し、かつ電気掃除機用集塵袋内の塵埃が許容量に達するまで長期に渡って脱臭効果を維持させることができる。
【発明を実施するための最良の形態】
【００１０】
第１の発明は、塵埃吸引用の開口部を有すると共に電気掃除機内に装着される口芯と、前記開口部より吸引された塵埃を捕集する袋状体と、粒状又は粉状の脱臭剤を収納した収納ケースと、前記収納ケースに設けられ前記開口部に連通すると共に前記脱臭剤を排出する排出口と、薄板状で、前記収納ケースに接着される接着部を有すると共に前記排出口を覆う覆い部材とを備え、前記電気掃除機の運転開始の吸引風により、前記覆い部材の接着部が剥がれ、前記排出口が露出するようにしたもので、塵埃吸引時には、吸引風により、収納ケース内の粒状又は粉状の脱臭剤が収納ケースより排出され、それが、吸引される塵埃と混合して袋状体内に堆積することにより、塵埃と脱臭剤の接触面積が極めて広く、しかも脱臭剤が電気掃除機用集塵袋が廃棄或いは袋状体が空にされるまで残っているので、脱臭効果が大きくしかも長時間持続できるので、常に快適に掃除を行うことができる。また、使用前の電気掃除機用集塵袋の運搬時には、排出口が覆い部材で覆われているので、収納ケースから脱臭剤が漏れ出ることが無く、電気掃除機用集塵袋の使用時に支障をきたすことが無い。さらに、電気掃除機用集塵袋の最初の使用時には、覆い部材の接着部が、電気掃除機による吸引風により剥がれ、容易に脱臭剤の排出口が露出、すなわち自動的に開口し、脱臭剤が袋状体内に確実に吸引されるので、脱臭剤が電気掃除機内に落下または利用者に付着することなく電気掃除機用集塵袋を利用することができる。また覆い部材を可燃性材料で形成するようにすれば、覆い部材を電気掃除機用集塵袋から取り出す必要がなく、使用後に電気掃除機用集塵袋ごと捨てることができる。
【００１１】
第２の発明は、特に、第１の発明の覆い部材を複数に分岐し、その分岐された部分に接着部を設けたもので、分岐された部分だけを収納ケースに接着すればよく、また、これにより吸引風による力で剥がす時には、最小限の力でよく、吸引風の力の強弱に関係なく容易に接着部を剥がして排出口を開口させることが出来る。
【００１２】
第３の発明は、特に、第２の発明の分岐された部分を折り曲げたもので、折り曲げることにより排出口を覆うように接着するのが容易になるので、収納ケースへの覆い部材の取り付けが容易になる。
【００１３】
第４の発明は、特に、第３の発明の分岐された部分の折り曲げ部にミシン目を設けたもので、分岐した部分の折り曲げが容易になり、また収納ケースへの接着部の接着も容易になる。
【００１４】
第５の発明は、特に、第２〜４のいずれか一つの発明の分岐された部分の一部を収納ケースの裏面に接着又は固定するようにしたもので、収納ケースの裏面に接着又は固定した部分は、電気掃除機の電動送風機の吸引風によって剥れることなく残るので、収納ケースに設けた排出口の全てが露出するまで吸引風の抵抗を受けることができ、確実に全ての排出口を開口させることが出来る。
【００１５】
第６の発明は、特に、第２〜５のいずれか一つの発明の分岐した部分で排出口を覆うと共に、その分岐した部分の端部を収納ケースの裏面に接着又は固定するようにしたもので、収納ケースの裏面に接着した部分は、電気掃除機の電動送風機の吸引風によって剥れることなく残り、収納ケースに設けた排出口の全てが露出するまで吸引風の抵抗を受けることができると共に、排出口を覆う部分と接着部が同一の分岐された部分にあるので、覆い部材の収納ケースへの取り付け、貼り付けがきわめて容易になる。
【００１６】
第７の発明は、特に、第６の発明の収納ケースの裏面の、口芯の開口部の中で最も吸引力が作用する側と同じ側に、分岐した部分の端部を接着又は固定するようにしたもので、収納ケースの、口芯の開口部の中で最も吸引力が強い側と同じ側に接着した覆い部材の接着部は、吸引力が強いために最初に剥がれるが、同じ側の収納ケースの裏面に接着した部分は電動送風機の吸引風によって剥がれることなく残り、覆い部材の、その他の排出口を覆う部分の全てが開くまで吸引風の抵抗を受けることができるようになり、確実に全ての排出口を開口させることができる。
【００１７】
第８の発明は、特に、第５〜７のいずれか一つの発明の電気掃除機用集塵袋を電動送風機を内蔵した電気掃除機に装着した時に、分岐した部分の収納ケースの裏面に接着された部分が、前記電動送風機の位置と同じ側になるようにしたもので、覆い部材の、電動送風機の設置位置と同じ側の収納ケースに接着された部分は、吸引力が強いために最初に剥がれるが、収納ケースの裏面に接着された部分は電動送風機の吸引風によって剥がれることなく残り、その他の排出口の全てが露出するまで吸引風の抵抗を受けることができ、確実に全ての排出口を開口させることができる。
【００１８】
第９の発明は、電気掃除機に、請求項１〜８のいずれか１項に記載の電気掃除機用集塵袋が装着される集塵室と、前記集塵室内に空気を吸引するための電動送風機を備えたもので、優れた脱臭性能を長期間にわたって発揮し、常に快適に使用することが出来る電気掃除機を提供することが出来る。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における電気掃除機用集塵袋の展開斜視図で、図２は、同電気掃除機用集塵袋の覆い部材の展開図、図３は、同電気掃除機用集塵袋の収納ケースの断面図、図４は、同電気掃除機用集塵袋の収納ケースの後面図、図５は、同電気掃除機用集塵袋の覆い部材が機能する様子を示した図、図６、７は、同電気掃除機用集塵袋の要部断面図、図８は、同電気掃除機用集塵袋を搭載した電気掃除機の全体斜視図である。
【００２１】
図１〜７において、本実施の形態における電気掃除機用集塵袋１（以下“集塵袋１”という）は、塵埃吸引用の開口部２ａを有し、紙材又は樹脂材からなる口芯２と、口芯２の裏面（電気掃除機に装着した時に、吸引風の下流側になる面）に取着されると共に粒状又は粉状の脱臭剤３ａを収納する収納ケース３と、前面に塵埃吸引用の吸引口４ａを有し、紙や布などからなる濾材で袋状に形成された袋状体４から構成されている。本実施の形態では、袋状体４を紙材で形成し、収納ケース３の裏面に接着して取り付けている。
【００２２】
収納ケース３は、口芯２の開口部２ａと連通する開口部３ｂを備え、その開口部３ｂを形成すると共に口芯２の開口部２ａから流入する吸引風の流れと平行な内周面３ｃには、収納ケース３の内部と開口部３ｂとを連通し、内部に収納された脱臭剤３ａが排出される排出口３ｄが設けられている。また、収納ケース３の上端には、収納ケース３内に脱臭剤３ａを投入した後に閉じられる蓋３ｅが設けられている（図は、蓋３ｅを閉じた状態を示している）。
【００２３】
収納ケース３には、未使用の集塵袋１の運搬時に、脱臭剤３ａの洩れを防止する為の薄板状の覆い部材５が、接着部５ａにより排出口３ｄを覆うようにして設けている。薄板状の覆い部材５は、図２に示すように、内周面３ｃの両側に配された排出口３ｄを覆うように、内周面３ｃの両側に接着される接着部５ａと、内周面３ｃの両側に接着部５ａを接着したときに収納ケース３の開口部３ｂの開口面積を略２／３以上覆い、電気掃除機を運転したときに、それに内蔵された電動送風機（図示せず）によって生じる負圧を受ける負圧受け部５ｄと、収納ケース３の後面に接着される接着部５ｂを有している。
【００２４】
なお、上記薄板状の覆い部材５は排出口３ｄを覆う形状のものであればどのようなものであっても良く、例えば排出口３ｄと同数の複数の分岐部分を持つものや、一つの接着部５ａで複数の排出口３ｄを覆う場合には排出口３ｄの数よりも分岐部分が少なくなる場合がある。本実施の形態では、図２に示すように、覆い部材５を４箇所で分岐させて、４箇所の排出口３ｄを覆うと共に、内２つの分岐部分に、収納ケース３の裏面に接着される接着部５ｂを延設している。
【００２５】
また接着部５ａにミシン目５ｃを設けることにより、作業者の目印となり、折り目加工や貼り付け加工を容易にすることが出来る。
【００２６】
覆い部材５を取り付けた新しい集塵袋１を、電気掃除機の所定に部位に装着し、電気掃除機を運転すると、薄板状の覆い部材５の負圧受け部５ｄが、電動送風機による負圧により内側に引っ張られて、薄板状の覆い部材５の接着部５ａが外れるが、電気掃除機内の電動送風機位置と同一側（図５において（ア）側とする）は吸引風が強いため必ず他の排出口３ｄよりも常に先行して剥がれ、その後に他の接着した排出口３ｄが開口する。しかし、排出口３ｄに薄板状の覆い部材５の接着部５ａのみを設けた場合は、先行して剥がれた接着部５ａは開口するものの、排出口３ｄを複数設けてある場合は、その他の排出口３ｄは先行して剥がれた接着部５ａが存在すると、薄板状の覆い部材５は横断的に覆うことが出来ず、そのために吸気風を薄板状の覆い部材５の負圧受け部５ｄが受けることができない。
【００２７】
そのために、収納ケース３の裏面に接着された接着部５ｂを設け吸引風を受けることができる支点が必要になる。この支点は、収納ケース３の裏面に接着されているので、吸引風によって剥がれることはなく、吸引風の強さが位置によってばらつきがあった場合でも全ての排出口３ｄが開ききるまで、吸引風を薄板上の覆い部材５が受けることができ、全ての排出口３ｄが必ず開く。
【００２８】
また、図２に示すように、吸引風の強さが一番強い位置に排出口３ｄの接着部５ａと収納ケース３の後面の接着部５ｂを同一の分岐部分に設けることにより、収納ケース３への接着部を接着部以外に設けずに済むことができる。これはまず、吸引風の強い位置のところの接着部５ａが開口するが、収納ケース３の後ろ側に接着される接着部５ｂを設けているために、覆い部材５が完全に剥がれ落ちない。これにより、他の排出口３ｄが開くまで負圧受け部５ｄで吸引風を受けつづけることができる。また、吸引風の強弱や接着部５ａの強度にばらつきがあったとしても、この構成を取ることにより薄板状の覆い部材５は吸気口３ｄから必ず外れることができ、排出口３ｄの全てを必ず開けることができる。
【００２９】
集塵袋１の組み立ての際には、言うまでもなく、口芯２の開口部２ａと、収納ケース３の開口部３ｂ及び袋状体４の吸引口４ａが連通するように、それぞれの位置を合致させて取着される。また、本実施の形態では、脱臭剤３ａとして、取り扱いの容易なゼオライトを使用している。
【００３０】
以上のように本実施の形態によれば、集塵袋１の梱包時に、接着部５ａ、５ｂを有する紙または合成紙等で形成された薄板状の覆い部材５で、収納ケース３に設けた排出口３ｄを覆うようにすることにより、集塵袋１の運搬時に、収納ケース３から脱臭剤３ａが漏れ出ることが無いので、集塵袋１の使用時に支障をきたすことが無い。
【００３１】
また、薄板状の覆い部材５は、紙または合成紙で形成しているので、排出口３ｄへの取り付け、取り外しが容易になると共に、接着部５ａを有するので排出口３ｄの密閉性が向上し、収納ケース３内の脱臭剤３ａの脱臭性能が、集塵袋１の保管時に低下することがない。
【００３２】
なお、上記薄板状の覆い部材５は、排出口３ｄを覆う形状のものであればどのようなものであっても良く、強度や耐久性を向上させるには樹脂、金属などを用いても良い。また、排出口３ｄを覆う薄板状の覆い部材５の密閉性を向上させることにより湿気が進入して固形化するのを防止することができ、長期間粒状或いは粉状に維持して確実に供給可能な状態に維持することが出来る。
【００３３】
次に、本実施の形態における集塵袋１が装着される電気掃除機について、図８を用いて説明する。
【００３４】
電気掃除機本体６（以下”掃除機本体６“という）は、後部に走行用の後輪７が一対、前部に同じく走行用の前輪キャスター８が設けられ、後部に電動送風機１６が内蔵されている。掃除機本体６の前面には、後述の集塵室に連通する吸気口１０が設けられ、この吸気口１０にホース１１の一端に設けた接続パイプ１１ａが接続され、ホース１１の他端には、電気掃除機を使用する際に操作する先端パイプ１１ｂが設けられている。さらに先端パイプ１１ｂは、延長管１２を介して床用吸い込み具１３に接続される。
【００３５】
次に、本実施の形態における集塵袋１を装着した電気掃除機の作用、動作について述べる。掃除機本体６から導出した電源コード（図示せず）のプラグ（図示せず）を壁コンセント（図示せず）に差し込み、先端パイプ１１ｂに設けたスイッチ１１ｃを操作すると、電動送風機１６の運転が開始し、それによって発生した吸引力によって、集塵袋の収納ケース３に取り付けられた薄板状の覆い部材５の負圧受け部５ｄが、電動送風機による負圧により内側に引っ張られて、薄板状の覆い部材５の接着部５ａが外れ、収納ケース３の排出口３ｄが開口し、吸引力はさらにホース１１、延長管１２を経て、床用吸い込み具１３の底面に設けた吸い込み口（図示せず）に作用し、周囲の空気と共に、床面の塵埃が吸引される。
【００３６】
床用吸い込み具１３の吸い込み口（図示せず）から流入した空気は吸引風となって、塵埃と共に、延長管１２、ホース１１、吸気口１０を経て、口芯２の開口部２ａ、収納ケース３の開口部３ｂ、袋状体４の吸引口４ａを通って、袋状体４内に流入し、そこで塵埃が捕集され、きれいになった空気が、電動送風機１６を通って、掃除機本体６の後部に配した排気口（図示せず）から外部に排出される。
【００３７】
そして、塵埃を含んだ吸引風が、収納ケース３の開口部３ｂを通過する際に、図７に示すように、排出口３ｄを通して収納ケース３内にエゼクター効果による吸引力が作用し、内部に収納された粒状又は紛状の脱臭剤３ａが排出され、その排出された脱臭剤３ａが塵埃と交じり合いながら、袋状体４内に入り奥側（電動送風機１６側）から堆積していく。
【００３８】
このとき塵埃は、ミクロ的に観察すると、個々の塵埃の外周が粒状或いは粉状の脱臭剤３ａで囲まれたような形となるため、塵埃と脱臭剤３ａとの接触面積は極めて大きなものとなり、かつ、集塵袋１内で、塵埃が脱臭剤３ａで囲まれたような形で保持されるようになる。その結果、脱臭剤３ａの脱臭効果は遺憾なく発揮され、臭気は大幅に低減する。例えば臭気の強い犬・猫の毛を集めたものを吸引させて掃除機本体６からの排気風の臭いを嗅いで見たが、その臭いはほとんど感じない程度に低減されていた。
【００３９】
また、脱臭剤３ａは、集塵袋１が廃棄或いは、袋状体４が空にされるまで塵埃と共に残っているので、脱臭効果が大きくしかも長時間持続できるので、常に快適に掃除を行うことができる。
【００４０】
また、脱臭剤３ａの粒径或いは粉径を、袋状体４の空気が通過する細孔（袋状体４を形成する紙材や布材の繊維間の隙間）より大きく設定しておけば、塵埃と共に吸引された脱臭剤３ａが、袋状体４の細孔を通り抜けることが無く、脱臭剤３ａによる脱臭効果を長期間に渡って維持できる。
【００４１】
また、脱臭剤３ａをゼオライトで形成し、そのゼオライトに疎水性加工を施せば、粒状又は粉状のゼオライトが、集塵袋１の保管時或いは、使用時に周囲の湿気を吸引して団子状になったりすることが無く、脱臭剤３ａの、収納ケース３の排出口３ｄからの排出性が悪くなり脱臭性能が低下することが無い。
【００４２】
また、収納ケース３を口芯２の下流側に設けているので、収納ケース３を備えていない従来の集塵袋を使用する電気掃除機にも使用できるようになり、互換性に優れ、集塵袋１の製造や在庫管理が簡素化される。
【００４３】
また、口芯２と、収納ケース３と、袋状体４のそれぞれを紙材などの可燃材料で形成することにより、集塵袋１を廃棄する際、材料分別する必要が無く、一般の燃えるごみとして廃棄できるので、後始末が簡単でしかも衛生的である。
【００４４】
また、可燃材料として、特に、紙材を用いれば、材料コストが安く、また成型用の金型が不要なので、量産性に優れ、トータルコストを大きく低減することができる。
【００４５】
さらに、粒状又は粉状の脱臭剤３ａに帯電防止加工を施せば、集塵袋１の運搬時或いは、集塵袋１を装着した掃除機本体６の移動や使用時に、収納ケース３内の粒状又は粉状の脱臭剤が振動で互いに擦りあっても静電気を帯びないので、互いにくっつきあって、排出口３ｄから出にくくなることが無く、常に優れた脱臭効果を発揮することが出来る。
【００４６】
また、収納ケース３の、流入する空気の流れと平行な面に排出口３ｄを設けたことにより、収納ケース３内の粒状又は粉状の脱臭剤３ａが、  吸引風のエゼクター効果による吸引作用により排出口３ｄから途切れることなく、しかも効率的に排出され、高い脱臭効果を発揮することが出来る。また、上記エゼクター効果は吸引流速に応じて変化するので、吸引風量が多い（吸塵量が多い）時には多く、吸引風量が少ない（吸塵量が少ない）時には少なくなる。すなわち脱臭剤３ａは、吸塵量に応じて自動的に供給量が変わるので無駄なく且つ効果的に脱臭効果を発揮することになる。
【００４７】
本実施の形態では、袋状体４を収納ケース３の裏面に接着して取り付けたが、口芯２の裏面に接着等で取り付けてもよく、コストや集塵袋１の組み立て性を考慮して適宜決められるものである。
【００４８】
又本実施の形態では、袋状体４を紙材で形成したが、布材で形成し、さらに開閉自在の塵埃廃棄用の廃棄口（図示せず）を下流側端部に設け、袋状体４が塵埃で一杯になったら、前記廃棄口を開けて、中の塵埃を捨て、再度使うようにしても良い。この場合は、塵埃の廃棄の都度或いは、数回の塵埃の廃棄ごとに、収納ケース３に脱臭剤３ａを補充する必要があるので、収納ケース３の蓋３ｅを開閉自在にしておき、使用者が必要に応じて脱臭剤３ａを補充できるようにしておくと良い。さらに、収納ケース３を、透明または半透明材料で形成すれば、内部の脱臭剤３ａの残量が容易に外部から見られるので、使用途中で脱臭剤３ａが切れたりすることがなく使用勝手が向上する。
【００４９】
また、上記のように、収納ケース３を透明または半透明材料で形成し、脱臭剤３ａが入っている部分の前後に発光素子（図示せず）と受光素子（図示せず）を対向して設けて、脱臭剤３ａの残量を検知し、少なくなったら、その旨を、音、光、振動等で使用者に報知するようにすれば、さらに使用勝手が良くなるものである。
【００５０】
また、上記第１の実施の形態で説明した集塵袋１を電気掃除機に使用することにより、優れた脱臭性能を長期間にわたって発揮し、常に快適に、また楽しく掃除作業を行うことができるものである。
【００５１】
なお、上記実施の形態では、脱臭剤３ａとしてゼオライトを用いたが、吸着剤を用い、塵埃由来の臭気物質である低級脂肪酸類、アンモニア、アルデヒド等様々な臭気に対して吸着効果のある活性炭を用いても良い。
【００５２】
さらに、上記脱臭剤３ａに抗菌剤または芳香剤を混合させることも可能である。抗菌剤の抗菌材料としては、無機系としては、銀系、亜鉛系、銅系、有機系としては、イソチオシアン酸アリル類、カテキン類等を用いるのが、細菌、真菌に対して優れた抗菌効果を発揮し、特に銀系は、少量で高い抗菌効果を発揮する点で特に好ましく、脱臭とともに殺菌作用も得ることが出来て安全性の向上も図れる。
【００５３】
ところで、長期旅行等により電気掃除機をしばらく放置した後に、掃除を行う際、収納ケース３内の脱臭剤３ａが吸湿により固まって、脱臭剤３ａの排出がスムーズに行われないケースが起こりうる。これを解決するために、収納ケース３に強制的に振動を与える振動手段（図示せず）を設け、この振動手段を、掃除機本体６の運転開始時に動作させるようにしても良い。なお、振動手段は、特に図示しないが、電気で振動する振動素子や、電源コードの引き出し操作或いは、後輪７の回転に機械的に連動して収納ケース３に振動を加える振動体などで形成すると良い。
【００５４】
又、集塵袋１の袋状体４の少なくとも一部に振動を与える振動手段を設けて、その振動手段を定期的或いは、不定期に動作させるようにすれば、袋状体４内の塵埃と脱臭剤３ａが揺すられ、相互間の接触状態が変わり、より効果的に脱臭することが出来る。
【００５５】
なお、袋状体４に振動を加える振動手段としては、上述の収納ケース３に振動を加える振動手段と同じ構成でも良い。
【産業上の利用可能性】
【００５６】
以上のように、本発明の電気掃除機用集塵袋及び電気掃除機は、塵埃と脱臭剤との接触面積及び接触時間が従来に比べ飛躍的に多くなり、その結果脱臭効果は著しく良好なものとなるもので、電気掃除機に限らず、臭気を発する生ゴミ処理機等各種機器にも広く適用できる。
【図面の簡単な説明】
【００５７】
【図１】本発明の実施の形態１における電気掃除機用集塵袋の展開斜視図
【図２】同電気掃除機用集塵袋の覆い部材の展開図
【図３】（ａ）同電気掃除機用集塵袋の覆い部材を取り付けてない収納ケースの断面図、（ｂ）覆い部材を取り付けた収納ケースの断面図
【図４】同収納ケースの後面図
【図５】（ａ）同収納ケースの斜視図（覆い部材を取り付けた状態）、（ｂ）同覆い部材の一部の接着部が先行して剥がれた状態を示す収納ケースの斜視図（ｃ）全ての接着部が剥がれた状態の収納ケースの斜視図
【図６】同電気掃除機用集塵袋の排出口が覆い部材で覆われている状態の要部断面図
【図７】同電気掃除機用集塵袋の排出口が開口状態の要部断面図
【図８】同電気掃除機用集塵袋を搭載した電気掃除機の全体斜視図
【符号の説明】
【００５８】
１    電気掃除機用集塵袋（集塵袋）
２    口芯
２ａ  開口部
３    収納ケース
３ａ  脱臭剤
３ｄ  排出口
４    袋状体
５    覆い部材
６    電気掃除機本体（掃除機本体）
【図１】
2008023215.tif 000003
【図２】
2008023215.tif 000004
【図３】
2008023215.tif 000005
【図４】
2008023215.tif 000006
【図５】
2008023215.tif 000007
【図６】
2008023215.tif 000008
【図７】
2008023215.tif 000009
【図８】
2008023215.tif 000010